(57)【特許請求の範囲】
【請求項１】
コーヒー豆を調合して供給する装置であって、
コーヒー豆を個々に計量し、量り分けるように構成されたセパレータ・プロポーショナーユニット（１１）と、
前記セパレータ・プロポーショナーユニット（１１）により調合されたコーヒー豆の重さを量るように構成される増分計量ユニット（１３）と、
前記増分計量ユニット（１３）から重量信号を受信し、調合されたコーヒー豆の重量を算出するように構成される制御カード（２２）と
を備え、
前記セパレータ・プロポーショナーユニット（１１）は、
個別にコーヒー豆を供給するように構成される供給デバイス（１２）と、
前記供給デバイス（１２）から受け取ったコーヒー豆が一列になって一つ一つ案内されるように構成されるセパレータ移送部材（１４）と、
一つ一つ一列に一の供給方向（Ｆ）にコーヒー豆の前進を決定するために前記セパレータ移送部材（１４）を振動させるように構成される振動ユニット（１６）と、
を備えることを特徴とするコーヒー豆を調合して供給する装置。
【請求項２】
前記供給デバイス（１２）が供給ホッパー（２４）を備えることを特徴とする、請求項１記載の装置。
【請求項３】
前記供給ホッパー（２４）は、前記セパレータ移送部材（１４）に結合されており、コーヒー豆を流出させるための横開口部（２７）を設ける容器（２６）を備えることを特徴とする、請求項２記載の装置。
【請求項４】
前記セパレータ移送部材（１４）は、前記増分計量ユニット（１３）への、分離されたコーヒー豆の通路として横貫通孔（４５）を有する長手方向の案内溝（４０）を設けるバー（３８）を備えることを特徴とする、請求項１乃至３のいずれか一項記載の装置。
【請求項５】
前記案内溝（４０）は、Ｕ型の横断面を有することを特徴とする、請求項４記載の装置。
【請求項６】
前記増分計量ユニット（１３）は、前記セパレータ・プロポーショナーユニット（１１）によって運ばれるコーヒー豆を受ける容器（１８）を備えることを特徴とする、請求項１乃至５のいずれか一項記載の装置。
【請求項７】
前記増分計量ユニット（１３）は、前記容器（１８）に作用する重量を検出するように構成されるセンサユニット（２０）を備えることを特徴とする、請求項６記載の装置。
【請求項８】
前記センサユニット（２０）は、ロードセルを備えることを特徴とする、請求項７記載の装置。
【請求項９】
前記装置は、利用者／操作者インタフェース（６２）と、通信モジュール（６５）とを備えることを特徴とする、請求項１乃至８のいずれか一項記載の装置。
【請求項１０】
前記装置は、コーヒー粉砕デバイス（６８）と結合されることを特徴とする、請求項１乃至９のいずれか一項記載の装置。
【請求項１１】
前記装置は、複数の前記セパレータ・プロポーショナーユニット（１１）を備えることを特徴とする、請求項１乃至１０のいずれか一項記載の装置。
【請求項１２】
複数の前記セパレータ・プロポーショナーユニット（１１）は、単一の前記増分計量ユニット（１３）に取り付けられ、そして、
前記装置は、さまざまな前記セパレータ・プロポーショナーユニット（１１）の間で前記増分計量ユニット（１３）を移動するように構成される作動デバイス（７４）を備えることを特徴とする、請求項１１記載の装置。
【請求項１３】
前記セパレータ・プロポーショナーユニット（１１）は各々、それぞれの前記増分計量ユニット（１３）に取り付けられることを特徴とする、請求項１１記載の装置。
【請求項１４】
コーヒーを準備するためのステーションであって、前記ステーションは、請求項１乃至１３のいずれか一項による装置（１０）と、コーヒー粉砕デバイス（６８）と、コーヒー飲料を製造することが可能なコーヒーマシン（７８）と、を備える、コーヒーを準備するためのステーション。
【請求項１５】
コーヒー豆を個々に計量し、量り分けるように構成されたセパレータ・プロポーショナーユニットと、
前記セパレータ・プロポーショナーユニットにより調合されたコーヒー豆の重さを量るように構成される増分計量ユニットと、
前記増分計量ユニットから重量信号を受信し、調合されたコーヒー豆の重量を算出するように構成される制御カードと
を備えたことを特徴とするコーヒー豆を調合して供給する装置であって、
前記セパレータ・プロポーショナーユニットは、
個別にコーヒー豆を供給するように構成される供給デバイスと、
前記供給デバイスから受け取ったコーヒー豆が一列になって一つ一つ案内されるように構成されるセパレータ移送部材と、
一つ一つ一列に一の供給方向（Ｆ）にコーヒー豆の前進を決定するために前記セパレータ移送部材を振動させるように構成される振動ユニットと、
を備える装置において、
個々にコーヒー豆を調合するステップと、
調合されたコーヒー豆の量を量るステップと、
重量信号を受信して、調合されたコーヒー豆の重量を算出するステップと
を備えることを特徴とするコーヒー豆を調合して供給するための方法。
【請求項１６】
請求項１５記載の方法により、コーヒー豆を調合して供給するステップと、
コーヒー豆粉末を得るために調合されたコーヒー豆を挽くステップと、
このように得られたコーヒー豆粉末を押し込めるステップと、
コーヒー飲料を準備するために、圧力をかけて、押し込められたコーヒー豆粉末から沸騰水を用いて抽出を行うステップと
を備えることを特徴とするコーヒー飲料を準備する方法。
【請求項１７】
請求項１乃至１３のいずれか一項記載の装置、又は請求項１４記載のステーションで実行され、
請求項１５又は１６に記載の方法を実行するための命令を含む
コンピュータによって読み込み可能な手段で格納できるコンピュータプログラム。
【発明の詳細な説明】
【技術分野】
【０００１】
本開示内容の実施例は、コーヒー豆を調合して供給するための装置に関する。
【背景技術】
【０００２】
コーヒー豆を挽くことにより得られるコーヒー豆粉末を用いてコーヒー飲料を用意することは公知である。コーヒー飲料（以降、単にコーヒーと呼ばれる）は、抽出、すなわち、沸騰し加圧された湯を用いてパーコレーションによって、通常得られる。
この目的のために、エスプレッソコーヒーを作るためのマシンが知られており、水用のタンクを備えている。そしてそこからポンプを用いて、高い圧力で水が加熱ユニットに送られる。このことにより湯又は蒸気が得られ、コーヒー抽出ユニットで使用される。そして、コーヒー抽出ユニットでは、エスプレッソを淹れるためのコーヒー豆粉末を通して水が濾される。
【０００３】
同じタイプ又はその種のコーヒー豆を挽いて（グラインドして）得られるコーヒー豆粉末を使用するか、又は異なるタイプ又は数種のコーヒー豆を挽いて得られるコーヒー豆粉末を混合したものを使用することができる。
【０００４】
混合した粉末で、異なるタイプ又は数種のコーヒー豆粉末の割合を変化させることによって、その混合した粉末で淹れたコーヒーの感覚刺激特性（例えば味、アロマ、酸味およびボディ）が決まる。
【０００５】
コーヒーファン又は愛飲者は、感覚刺激特性が最小限の変化であっても気づくことができ、このことは、飲物の判断に影響し、そして、複数の異なるタイプのコーヒー豆を選び、それを挽いて得られたコーヒー豆粉末の特定の混合のチョイスや好みにも影響し得る。
【先行技術文献】
【特許文献】
【０００６】
【特許文献１】米国特許出願公開第２０１２／０２４１６０号
【特許文献２】米国特許第５，６３２，４４９号
【発明の概要】
【発明が解決しようとする課題】
【０００７】
米国特許出願公開第２０１２／０２４１６０号は、複数人分のコーヒー豆を含んでおり、それを供給するためのコーヒー豆の包装カートリッジについて記載されており、この包装カートリッジはコーヒー飲料システムに結合されることができる。
【０００８】
米国特許第５，６３２，４４９号は、特別注文のコーヒーブレンド装置について記載されている。この装置により顧客は、個々の好みに合ったブレンドを考案するために、異なるコーヒー豆を個人的にブレンドすることができる。
この公知の装置は、異なるタイプのコーヒー豆用の複数のホッパーと、場合によってはコーヒーグラインダと、続く包装ステーションと、を含む。そして、前記各ホッパーは、それぞれの供給パイプに通じる出口パイプを備え、供給パイプ内部にはコイル型供給システムが設けられ、電子演算回路により制御されて、コーヒー豆が異なる供給パイプから中心収集パイプへと送られ、下流に単一の規定量が供給される。
各々の供給パイプによって調合されるコーヒー豆の量は、コイルタイプ供給システムを駆動する電気モータの速度および、つまりはコイルタイプ供給システムのそれぞれの回転数を制限することにより制御される。供給および制御システムによっても、コーヒー豆の別々の供給が可能とならないだけでなく、実際に調合されるコーヒー豆の量の精度においても満足できないことがある。それは、コイルタイプ供給システムの回転数によって量を間接的に制御するためである。
【０００９】
以降の図面および発明を実施するための形態に関して本明細書の以下の部分を確認すると、従来の解決策と技術の他の制限および問題点が当業者にとって明らかになる。但し、本明細書の従来技術に説明されている内容が、すでに既知であるということを認めるものと考えられてはならないことは明白である。
【００１０】
したがって、従来技術の問題点の少なくとも１つを克服することができる、コーヒー豆を調合して供給するための装置を改善する必要性がある。
【００１１】
特に、本発明の１つの目的は、具体的には、個々の好みに合わせて変更されたレシピか、若しくは、利用者又は特定の操作者により個々の好みに合わせて変更されることができるレシピに従って、異なるタイプのコーヒー豆を選択し挽くことによって得られるコーヒー豆粉末の混合物を、十分な再現性および信頼性を持って製造する必要条件を満たすことができるコーヒー豆を調合して供給するための装置を得ることである。
【００１２】
本発明の別の目的は、一旦利用者がコーヒー豆粉末の一つ以上の特定の混合を特定すると、再現性および信頼性を持って、コーヒー豆粉末のその特定の混合を再現することができ、結果として消費者の嗜好を満足させるコーヒー豆を調合して供給するための装置を得ることである。
【００１３】
技術水準の欠点を克服して、これらの目的とその他の目的および利点を得るために、出願人は、本発明を考案して、テストして、実施した。
【００１４】
本発明は独立クレームにおいて記載され、特徴づけられる。その一方で、従属クレームは主たる発明概念に対する本発明又は変形例の他の特徴について説明する。
【課題を解決するための手段】
【００１５】
いくつかの実施例によれば、装置は、コーヒー豆を調合して供給するために設けられる。一実施例によれば、前記装置は、
調合すべきコーヒー豆を個々に計量し、量り分けるように構成されるセパレータ・プロポーショナーユニットと、
セパレータ・プロポーショナーユニットで調合されるコーヒー豆の重さを量るように構成される増分計量ユニットと、
増分計量ユニットから重量信号を受信し、そして、調合されたコーヒー豆の重量を算出するように構成される制御カードと
を備える。
【００１６】
本明細書において記載される他の実施例は、コーヒー準備ステーションに関する。一実施例によれば、前記ステーションは、コーヒー豆を調合して供給するための本明細書による装置と、コーヒー粉砕デバイスと、コーヒー飲料を製造することが可能なコーヒーマシンとを備える。
【００１７】
本明細書において記載される他の実施例は、コーヒー豆を調合して供給するための方法に関する。一実施例によれば、前記方法は以下のステップを備える。
個々にコーヒー豆を調合するステップ、
調合されたコーヒー豆の量を量るステップ
重量信号を受信して、調合されたコーヒー豆の重量を算出するステップ。
【００１８】
本明細書において記載される他の実施例は、コーヒー飲料を準備するための方法に関する。一実施例によれば、前記方法は、
本明細書による、調合されたコーヒー豆の供給するステップと、
コーヒー豆粉末を得るために調合されたコーヒー豆を挽くステップと、
このように得られたコーヒー豆粉末を押し込める（圧縮する）ステップと、
コーヒー飲料を準備するために、圧力をかけて、押し込められたコーヒー豆粉末から沸騰水を用いて抽出を行うステップ（パーコレーション）と
を備える。
【００１９】
本明細書に記載される他の実施例は、コンピュータで読み込み可能な手段で格納できるコンピュータプログラムに関し、このコンピュータプログラムは、コーヒー豆を調合し供給するための装置又は本明細書によるコーヒー準備ステーションで一旦実行される命令と、コーヒー豆を調合し供給するための又は本明細書で記載されるコーヒー飲料を準備するための方法が実行されるような命令とを含む。
【００２０】
これら及びその他の、本開示内容の態様、特徴および利点は、以下の発明を実施するための形態、図面及び添付の特許請求の範囲を参照することによってよりよく理解される。本明細書に組み込まれ、本明細書の一部を構成する図面は、本発明のいくつかの実施例を示して、発明を実施するための形態と共に、本開示内容の原理を記載することを目的とする。
【００２１】
可能な場合は、本明細書に記載されるさまざまな態様および特徴は個々に適用されることができる。例えば添付の従属クレームに記載される態様および特徴といった、これらの個々の態様は、分割出願の対象であることができる。
【００２２】
特許のプロセスの間に既に公知であることが分かったいかなる態様又は特徴も請求せず、ディスクレーマーの対象であると理解されるべきである。
【００２３】
本発明のこれらの特徴および他の特徴は、添付の図面を参照して非限定的な実施例として与えられ、いくつかの実施例の以下の説明により明らかとなる。
【図面の簡単な説明】
【００２４】
【図１】本明細書で記載される実施例による、コーヒー豆を調合して供給するための装置の概略図。
【図２】本明細書で記載される他の実施例による、コーヒー豆を調合して供給するための装置の概略図。
【図３】本明細書で記載される他の実施例による、コーヒー豆を調合して供給するための装置の部分的な斜視図。
【図４】本明細書で記載される他の実施例による、コーヒー豆を調合して供給するための装置の部分的な概略図。
【図５】図４のＩＶ−ＩＶの断面図。
【図６】コーヒー粉砕デバイスと結合される本明細書に記載される実施例による、コーヒー豆を調合して供給するための装置の概略図。
【図７】コーヒー粉砕デバイスと結合される本明細書に記載される他の実施例による、コーヒー豆を調合して供給するための装置の概略図。
【図８】コーヒー粉砕デバイスと結合される本明細書に記載される、さらに他の実施例による、コーヒー豆を調合して供給するための装置の概略図。
【図９】本明細書によるコーヒー準備ステーションの、考えられる実施例の概略図。
【図１０】本明細書によるコーヒー準備ステーションの、考えられる実施例の概略図。
【図１１】本明細書によるコーヒー準備ステーションの、考えられる実施例の概略図。
【図１２】本明細書で記載される実施例による、コーヒー準備ステーションの部分的な正面図。
【発明を実施するための形態】
【００２５】
理解しやすくするために、可能であれば、図面中の同一の共通の要素を識別するために、同じ参照番号が使用される。一実施例の要素および特徴が、更に説明されることなく他の実施例に適宜組み込まれることができるものと理解される。
【００２６】
本発明の各種実施形態についてこれより詳述し、一つ以上の実施例が添付の図面に示される。各実施例は、本発明の例証として与えられ、限定としては理解されない。例えば、一実施例の一部であると示されるか記載される特徴は、他の実施例を生じるために他の実施例に採用されるか、又はそれに関連することができる。本発明がすべてのこの種の変更および変形例を含むものと理解される。
【００２７】
これらの実施例を記載する前に、本明細書が、添付の図面を使用して以下の説明にて記載するような構成要素の、構造および性質の詳細な適用において、制限されないことも明らかにしなければならない。本明細書は、他の実施例を備えることができ、そして、さまざまな他の方法で獲得又は実行されることができる。本明細書で用いられる表現および用語は単に説明のためにだけあると明らかにしなければならない。そして、制限するものと見なされない。
用語「用いる」（例えば「含む」、「備える」、「有する」、およびそれらの変化形）は、これより記載される要素およびそれらの同等物、更には追加要素を含むことを意図する。
特に明記しない限り、用語（例えば「取り付け」「接続」「支持」、「結合」、およびそれらの変化形）は、最も広い意味で用いられ、直接的および間接的な取り付け、接続、支持および結合を含む。さらにまた、用語「接続」および「結合」は、物理的又は機械的な、接続や結合に限定されない。
【００２８】
本明細書において記載される実施例は、コーヒー豆を調合して供給するための装置１０に関する。
【００２９】
図１は、以下を含む装置１０の実施例を記載するために用いられる。
コーヒー豆を個々に計量し、量り分けるように構成されるセパレータ・プロポーショナーユニット１１、
セパレータ・プロポーショナーユニット１１で調合されたコーヒー豆の重さを量るように構成される増分計量ユニット１３、
増分計量ユニット１３から重量信号を受信し、調合されたコーヒー豆の重量を算出するように構成される制御カード２２。
【００３０】
本明細書に記載されるすべての実施例と組み合わせることができる、いくつかの実施例によると、その結果として、セパレータ・プロポーショナーユニット１１は、増分計量ユニット１３へコーヒー豆の別々の流れを有利には安定して供給することができる。そして、図１および図２の矢印Ｆが示す供給方向に、列をなしてコーヒー豆を前進させる。
【００３１】
本明細書において記載される実施例は、以下のステップを備えるコーヒー豆を調合して供給するための方法にも関する。
個々にコーヒー豆を調合するステップ、
調合されたコーヒー豆の重さを量るステップ、
重量信号を受信して、調合されたコーヒー豆の重量を算出するステップ。
【００３２】
本明細書において記載される実施例はコーヒー飲料を準備するための方法にも関し、以下のステップを含む。
本明細書による、調合されたコーヒー豆を供給するステップ、
コーヒー豆粉末を得るために調合されたコーヒー豆を挽くステップ、
このように得られたコーヒー豆粉末を押し込めるステップ、
抽出すること、すなわち、コーヒー飲料を準備するために、圧力をかけて、押し込められたコーヒー豆粉末から沸騰水又は蒸気を用いて抽出を行うステップ（パーコレーション）。
【００３３】
考えられる実施において、個々にコーヒー豆を調合するためにセパレータ・プロポーショナーユニット１１を用い、そして、セパレータ・プロポーショナーユニット１１によって調合されるコーヒー豆の重さを量るために増分計量ユニット１３を用い、そして、増分計量ユニット１３から重量信号を受け取って、調合されたコーヒー豆の重量を算出するために制御カード２２を用いる。
【００３４】
出願人は、実験的な試験において、使用するコーヒー豆のサイズ、量および重量は極めて変動するものであることが分かった。同じ流速で、安定した流れが得られる場合であっても、重量は大きく変動し得る。
具体的には、出願人は統計ベースで、コーヒー豆の重量のばらつきが０．０８グラムから０．１６グラムまであることが分かった。この重量のばらつきのために、たとえ安定して流れても、最終的な量として、一定の重量は保証されない。
しかしながら、出願人は、コーヒー豆の別々の流れの下流で増分計量ユニット１３を用いて装置を調節することによって、最終重量を制御および調節することができることを実験に基づき見出した。実際に、増分計量ユニット１３は、セパレータ・プロポーショナーユニット１１によって届けられるコーヒー豆の重さをモニタすることができる。考えられる実施では、この値は、供給ステップが終了するほんの少し前に検出される重量の値であり得る。
このようにして、装置１０および、本発明による方法は、連続した２回又は２ステップで、コーヒー豆を供給するように構成されることができる。それは、第一のステップでは、最終的な目標重量より常に少ない重量が供給され、そして、第２ステップで、例えば、徐々に増加し所望の最終的な量に達するまで、別のコーヒー豆をより低速に流して供給するようにセパレータ・プロポーショナーユニット１１を調節することによって、正確に差分量を供給する。
コーヒー豆の流れが分けられるので、届けられる各コーヒー豆の重量の割合を識別し量を定めて、そして結果として、制御カード２２を使用して流れを調節することができるので、この解決策は最終的に到達する重量に関して非常に正確である。このようにして上記のように、コーヒー豆の重量の大きなばらつきという課題を解決することができる。そして、非常に正確で信頼性が高く、反復可能な数量（重量）のコーヒー豆を得る。
【００３５】
結果として装置１０は、特に個々の好みに合わせて変更されたレシピや、個々の好みに合わせて利用者又は特定の操作者により変更されることができるレシピに従って、異なるタイプのコーヒー豆を選択し挽いて得られるコーヒー豆粉末の混合物を、十分な再現性と信頼性を持って製造できるようにする。さらには装置１０のおかげで、一旦利用者がコーヒー豆粉末の一種以上の特定の混合を見出すと、反復可能かつ確実にコーヒー豆粉末のその特定の混合を再現することができ、結果として消費者の嗜好を満足させる。
当該出願人の名において２０１４年８月２２日に出願の産業発明特許ＵＤ２０１４Ａ０００１４６のイタリア国出願に従い、セレクタデバイスで使用可能なプロポーショナー装置が個々の好みに合わせた混合物を製造できるように、装置１０を用いることができる。
【００３６】
図２は、本明細書に記載されるすべての実施例と組み合わせることができる実施例を説明するために用いられる。そして図２において、セパレータ・プロポーショナーユニット１１は、コーヒー豆を個別に（ばらばらに）供給するように構成される供給デバイス１２を含むことができる。
【００３７】
図２を用いて記載され、そして本明細書に記載されるすべての実施例と組み合わせることができる実施例によると、セパレータ・プロポーショナーユニット１１は、供給デバイス１２から受け取ったコーヒー豆が列をなして導かれるよう構成されるセパレータ移送部材１４を含むこともできる。
【００３８】
図２を用いて記載され、そして本明細書に記載されるすべての実施例と組み合わせることができる実施例によると、列をなしてコーヒー豆が供給されるよう、セパレータ・プロポーショナーユニット１１は、セパレータ移送部材１４を振動させるように構成される振動ユニット１６を含むこともできる。
【００３９】
図２は、本明細書に記載されるすべての実施例と組み合わせることができる実施例を記載するために用いることができる。そして図２では、増分計量ユニット１３は、例えばセパレータ移送部材１４によってセパレータ・プロポーショナーユニット１１から運ばれる豆を受けるために容器１８を含むことができる。
【００４０】
図２を用いて記載され、そして本明細書に記載されるすべての実施例と組み合わせることができる、実施例によると、増分計量ユニット１３は、容器１８に作用している重量を検出するように構成されるセンサユニット２０を含むこともできる。
【００４１】
図２および３を用いて記載され、そして本明細書に記載されるすべての実施例と組み合わせることができる、実施例によると、供給デバイス１２は供給ホッパー２４を含むことができる。例えば、ホッパー２４は、円筒状ホッパーであり得る。
本明細書に記載されるすべての実施例と組み合わせることができる、いくつかの実施例によると、ホッパー２４は、金属（例えば鋼）で作製されることができる。ホッパー２４は、容器２６を備えることができる。容器２６は、供給システムからコーヒー豆を受けるように、構成されることができる（例えば図１２参照）。コーヒー豆は、例えばコーヒー豆のタンク、容器もしくは缶から、又は、コーヒー豆の貯蔵部を備えるコーヒー豆を供給するシステムおよび、例えば重力又は空気作用によりコーヒー豆を移す原料管から供給されることができる。容器２６は、コーヒー豆を流出させるためにセパレータ移送部材１４にも結合されている。具体的には、ホッパー２４の容器２６は、セパレータ移送部材１４に直角に連結することができる。
【００４２】
図３を用いて記載される実施例では、容器２６は、内部にコーヒー豆を導入するために上部開口部３０を備える。そして、コーヒー豆をセパレータ移送部材１４へ放出させるために、下部開口部３６を備える。
考えられる実施において、容器２６は、コーヒー豆を導入するための上部開口部３０を有する実質的に円筒状第一セクション２８と、下方へコーヒー豆を運ぶための円錐台の中間セクション３２と、コーヒー豆を放出させるのための下部開口部３６を有して、実質的に円筒状であるが第一セクション２８の開口部より小径の第２セクション３４と、を有する中空本体で形成されることができる。円錐台の中間セクション３２は、第一セクション２８と第２セクション３４とに結合しており、そして、第一セクションの直径に等しい大きなベース直径と、第２セクションの直径に等しい小さなベース直径とを有する。
【００４３】
本明細書に記載されるすべての実施例と組み合わせることができる図３を用いて記載される実施例によると、容器２６は、好ましくはコーヒー豆を流出させるために、横開口部２７を備えることができる。具体的には、横開口部２７は、第２セクション３４の、下部開口部３６とつながるように作られることができる。この場合、横開口部２７は開いた外形を有することができ、それは例えば、実質的に逆さまのＵのようであるか、又は類似の形に成形されることができ、下部開口部３６とつながっており開いている。
横開口部２７は、セパレータ移送部材１４へホッパーからのコーヒー豆の流出を促すことができ、妨害物を低減することができる。横開口部２７は、例えば、フライス加工により作られることができる。具体的には横開口部２７と、案内溝４０のＵ型の断面との組合せのおかげで、途切れることなく、妨害物や、材料が停滞するポイントがなく、コーヒー豆を分離して流すことができる。
【００４４】
本明細書に記載されるすべての実施例と組み合わせることができる、いくつかの実施例によると、ホッパー２４は、例えば取り外し可能な留め具３１（例えばネジ）で横開口部２７の正面（容器２６の外側）に結合されるブロック２９を備えることができる。ブロック２９は、例えば斜めに切られた又は傾斜した角部を有する、矩形の直方体か類似の形であることができる。コーヒー豆の特定の流れを定める経路の間隙を決定するために、ブロック２９を、横開口部２７から所定の距離に配置することができる。
ブロック２９の位置は、調節することができ、そして、横開口部２７から多少の距離範囲で変化させることができる。そして、例えばブロック２９の位置を調節するよう機能することもできる取り外し可能な留め具３１を用いることにより、ブロック２９の位置を設定することができる。このようにして、コーヒー豆の異なる流出条件を定めることができる。
【００４５】
考えられる実施では、ホッパー２４は、セパレータ移送部材１４への結合のために、連結フランジ３５（例えば第２セクション３４に結合されている）を備えることができる（例えば図３参照）。
連結フランジ３５は、例えば容器２６の第２セクション３４に溶接されることができ、そしてセパレータ移送部材１４に取り付けられることができる。
【００４６】
本明細書に記載されるすべての実施例と組み合わせることができる、図４および５を用いて記載される実施例によると、セパレータ移送部材１４は、長手方向の案内溝４０を備えるバー３８を含む。長手方向の案内溝４０を有するバー３８は、コーヒー豆をガイドし分離させて前進させるためのレールとして機能し、すなわち、コーヒー豆を一列に一つ一つ前進させるよう機能する。
このようにして、センサユニット２０のおかげで、容器１８に逐次届けられるコーヒー豆の重量を量ることができる。そして、容器１８に導入される個々のコーヒー豆により供給される重量における貢献（割合）を識別する。
【００４７】
案内溝４０は、バー３８の長さの大部分に亘り、そして、コーヒー豆が導入される入口端４２と、増分計量ユニット１３へ向かうコーヒー豆の出口用の出口端４４と、を有する。そして、出口端４４は、バー３８の厚み方向に貫通孔４５を備える（図２も参照）。バー３８の下では、具体的には出口端４４とそれぞれの貫通孔４５とが位置合わせされ、容器１８が配置される。
貫通孔４５は、具体的には、一度に１粒のコーヒー豆を輸送されるようになっているが、コーヒー豆の分離された流れに障害、ジャム又は妨害物を引き起こさないような小さな内径に設定されている。貫通孔４５のおかげで、コーヒー豆は重力で容器１８に落下することができ、落下するコーヒー豆を受けるために容器１８の上部は開いている。
考えられる実施では、ホッパー２４は案内溝４０の入口端４２と一致するよう配置される。そして、具体的には、容器２６の下部開口部３６は入口端４２と重なって配置される。この場合容器２６は、案内溝４０より上に配置され、横開口部２７が案内溝４０の方に面している。その結果、コーヒー豆はホッパー２４から案内溝４０の入口端４２へと正しく流れることができる。
【００４８】
考えられる実施では、バー３８は実質的に水平に配置するか、又は縦に列をなして進むコーヒー豆の流出を制御するように、わずかに後方に、すなわちホッパー２４の容器２６の方へ、数度傾けることができる。バー３８は、実際のところこの傾斜により、入口端４２から出口端４４までの移動の方向に、わずかに高くなっている。
【００４９】
考えられる実施では、バー３８は細長いプレートから作られることができ、例えば、金属（例えば鋼）、若しくは、ポリマー、プラスチック又は熱可塑性材料などから作られることができる。バー３８は、案内溝４０を定める細長い溝を作るために加工される。例えば、作業は材料を取り除くことにより行うことが加工されることができる（例えばフライス加工）。又は、モールド加工により（例えばポリマー材の場合）、そのまま長手方向の案内溝４０を含むバー３８を得ることができる。
【００５０】
考えられる実施では、バー３８は長さＬ（図４）を有することができる。そして、例えば、長さＬは２００ｍｍ〜８００ｍｍ、特に３００ｍｍ〜７００ｍｍの間に、さらに４００ｍｍ〜６００ｍｍであり得る。長さＬの例としては、４５０ｍｍ、５００ｍｍ、５５０ｍｍである。
【００５１】
本明細書に記載されるすべての実施例と組み合わせることができる、いくつかの実施例によると、案内溝４０は、Ｕ型又は類似の横断面（図５参照）を有することができる。案内溝４０に沿ったコーヒー豆の妨害物を低減できるという点で、Ｕ型の横断面は有利である。
考えられる実施では、Ｕ型の横断面の外形は、溝高さＨおよび溝幅Ｗを有することができる。
考えられる実施では、溝高さＨと溝幅Ｗ間の比率は、「１〜２」、特に「１〜１．５」であり得る。例えば、溝高さＨは、１０ｍｍ〜２０ｍｍ、特に１０ｍｍ〜１５ｍｍであり得るが、溝幅Ｗは、６ｍｍ〜１５ｍｍ、特に８ｍｍ〜１２ｍｍであり得る。
考えられる実施では、Ｕ型の横断面の外形は、小さい曲率半径Ｒを有することができる。
考えられる実施では、小さい曲率半径Ｒと溝幅Ｗ間の比率は、「１〜３」、特に「１．５〜２．５」であり得る。例えば、小さい曲率半径Ｒは、１０ｍｍ未満、特に７．５ｍｍ未満、さらには５ｍｍ未満であり得る。例えば、小さい曲率半径Ｒは、２ｍｍ〜５ｍｍ、特に３ｍｍ〜４ｍｍであり得る。
【００５２】
本明細書に記載されるすべての実施例と組み合わせることができる図２を用いて記載される実施例によると、振動ユニット１６は、モーター４６と、供給部材４８と、前部振動ばねユニット５２と、後部振動ばねユニット５４とを含むことができ、そして、正面のバイブレータ部および後部バイブレータ部を実質的に定める。前部振動ばねユニット５２および後部振動ばねユニット５４は、モーター４６からの振動を増幅／減衰させる機能を実質的に実行する。
各ユニット、正面振動ばねユニット５２および後部振動ばねユニット５４のばねのタイプ、数およびサイズを最適に選択することによって、セパレータ移送部材１４の所望の振動と、それ故に列をなしたコーヒー豆の所望の供給を確定するように、振動ユニット１６を構成することができる。
例えば、前部振動ばねユニット５２は、２〜５個のばね（例えば３又は４個）を含むことができる。後部振動ばねユニット５４は、例えば１〜３個のばね（例えば１又は２個）を含むことができる。
【００５３】
考えられる実施では、セパレータ移送部材１４の下に振動ユニット１６を結合することができる。具体的には、振動ユニット１６をバー３８の下に配置することができ、そして例えば、バー３８は振動ユニット１６の前部と後部より突出することができる。
考えられる実施では、バー３８は、振動ユニット１６の前部より長さＬ１、突出することができて、振動ユニット１６の後部より長さＬ２、突出することができる（図２を参照）。
考えられる実施では、バー３８の長さＬ１と長さＬ２の比率は、「０．２５〜０．５」であり得、特に「０．３〜０．４５」、更には「０．３５〜０．４」であり得る。
考えられる実施では、バー３８の長さＬ２と長さＬの比率は、「０．１〜０．３」であり得、特に「０．１５〜０．２５」、更には「０．１８〜０．２２」であり得る。
例えば、バー３８は、前部振動ばねユニット５２の前部よりも長さＬ１、突出することができ、後部振動ばねユニット５４の後部よりも長さＬ２、突出することができる。
本明細書に記載される実施例で使用可能な振動ユニット１６は、例えば、ＳＡＲＧ  Ｓｒｌ社（イタリア国）から入手可能な直線振動台（例えばモデルＶＲ１）であり得る。
【００５４】
本明細書に記載されるすべての実施例と組み合わせることができる、いくつかの実施例によると、容器１８は例えば形状が円筒状の容器であることができ、上部開口部１９を有する。そして、セパレータ移送部材１４から到着するコーヒー豆の入口となる。さらにまた、容器１８は底部２１を備え、センサユニット２０を底部２１に接続することができる。具体的には、センサユニット２０は、容器１８の下に設置されることができ、底部２１と接触する（図２）。
【００５５】
本明細書に記載されるすべての実施例と組み合わせることができる、いくつかの実施例によると、容器１８を徐々に満たすコーヒー豆の重量を少なくとも検出するように、センサユニット２０を構成することができる。重量データ又は信号を検出するためにセンサユニット２０を設定することができ、制御カード２２のおかげでプログラム可能でありえる。
【００５６】
本明細書において記載される実施例の異なる実施態様によると、容器１８上の重量は、一つ以上のロードセル、一つ以上の圧力センサー、又は一つ以上の他のセンサによって検出されることができる。そして、伸び計、圧電素子、ピエゾ抵抗素子、ホール効果素子などが使用される。
圧力は、単位面積当たりに作用する力であり、その結果、圧力センサー、力センサー又はロードセルとして一つ以上のセンサが設けられているかどうかに応じて、変換を検討する必要があり得る、と考えなくてはならない。センサユニット２０の特定の配置に応じて、センサユニット２０が少なくとも圧力センサーと、少なくとも力センサー（例えばロードセル）とを含み得ると理解されなければならない。
【００５７】
本明細書に記載されるすべての実施例と組み合わせることができる、いくつかの実施例によると、センサユニット２０は、圧力センサー又は力センサー（例えばロードセル）の様な、少なくとも一つのセンサーを含むことができる。
【００５８】
ここでは、その本明細書に記載される実施例で用いられるような、センサユニット２０に含まれるセンサの少なくとも一つ以上は、以下を備える群から選択されるセンサ素子であることができる点に留意する必要がある。
・力センサー又はトランスデューサ（ロードセルのような）
例えば、伸び計を備えたロードセル、油圧又は静水圧ロードセル、圧電ロードセル、振動ワイヤを備えたロードセル、および容量型ロードセル、
・圧力センサー又はトランスデューサ（例えばエリアに印加される力によって生じる変形又は変位を測定するための力を集めるために用いられる電子タイプ）
例えば、ピエゾ抵抗伸び計を備えるセンサ、容量センサ、電磁センサ、圧電センサ、光学センサ又は電位差測定センサ。
【００５９】
非限定的な実施例として供給される、いくつかの実施例において、センサユニット２０は、ロードセルであり得る一つ以上のセンサを含むことができる。
【００６０】
本明細書に記載されるすべての実施例と組み合わせることができる、いくつかの実施例によると、容器１８内の調合されたコーヒー豆の重量を算出するために、センサユニット２０からの重量信号を受信するように制御カード２２を構成することができる。
【００６１】
本明細書に記載されるすべての実施例と組み合わせることができる、例えば図８を用いて記載されるいくつかの実施例によると、制御カード２２は、中央演算処理装置（ＣＰＵ）５６、任意の電子メモリ５８、任意の電子データベース６０、供給モジュール６１、および補助回路（又はＩ／Ｏ）（図示せず）を含むことができる。例えば、ＣＰＵ５６は、作業又はコンピュータサイクルの制御、オートメーション及び管理の分野において用いられる任意のタイプのコントローラ、マイクロコントローラ、プロセッサ又はマイクロプロセッサであり得る。
【００６２】
電子メモリ５８は、ＣＰＵ５６に接続することができ、そして、例えば、ランダムアクセスメモリ（ＲＡＭ）、読出し専用メモリ（ＲＯＭ）、消去可能なプログラマブルメモリ（ＥＰＲＯＭ）、電気的消去可能なプログラマブルＲＯＭメモリ（ＥＥＰＲＯＭ）、フロッピーディスク、ハードディスク、光ディスク、ＣＤ―ＲＯＭ、光磁気ディスク、光学又は磁気カード、マスメモリ、固体メモリカード又はマイクロカード又はその他の形態のデジタル記憶装置（ローカル又はリモート）といった、市販品の一つ以上であることができる。
例えば、計量される現在の重量に関するデータ、到達すべきコーヒー豆の目標重量、および／又は、１タイプ又はその種のコーヒーとその他との割合（すなわちコーヒーの一つ以上の特定の混合レシピ）、そして、予想される履歴アーカイブデータ又はエラーデータを、電子メモリ５８に保存することもできる。最終的に、到達すべきコーヒー豆の目標重量および／又は、１タイプ又はその種のコーヒーとその他との割合（すなわちコーヒーの一つ以上の特定の混合レシピ）が提供されると、追加もしくは代替えとして、それは任意の電子データベース６０に格納されることができる。
ソフトウェア命令およびデータは、ＣＰＵ５６に命令を出すために、例えばコード化され、電子メモリ５８に格納されることができる。通常はプロセッサを助けるために、補助回路をＣＰＵ５６に接続することもできる。補助回路は、例えば以下の内少なくとも１つを含むことができる：キャッシュ回路、フィード回路、クロック回路、入出力用回路、サブシステム等。
【００６３】
制御カード２２により読み込み可能なプログラム（又はコンピュータ命令）により、本発明による方法に従って、どの作業が実行可能か決定することができる。
いくつかの実施例においてプログラムは、制御カード２２や、ローカル又はリモートコンピュータシステムにより読み込み可能なソフトウェアである。制御カード２２や、ローカル又はリモートコンピュータシステムは、本発明による方法の経過で導入又は発生する情報およびデータを生成して格納するためのコードを含むことができる。
【００６４】
上記のように、いくつかの実施例により、さまざまなステップ、経過および工程を実行することができる。汎用又は特殊用途のプロセッサによって特定のステップの実行を生じさせる、本明細書によるマシン又は装置の制御カードによって実行される命令によって、ステップ、経過および工程は、少なくとも部分的に行われることができる。あるいは、これらのステップ、経過および工程は、ステップを実行するためのハードウェアロジックを含む特定のハードウェアコンポーネントによって、又は、プログラムされたコンピュータのためのコンポーネントと、個々の好みに合わせて変更されたハードウェアコンポーネントとの任意の組合せにより実行されることができる。
【００６５】
コーヒー豆を調合して供給するための方法の、又は、本明細書によるコーヒー飲料の準備のための方法の実施例は、以下の命令を含むコンピュータ読み込み可能な手段で格納できるコンピュータのプログラムに含むことができる。上記命令は、本明細書によるコーヒー豆を調合して供給するための装置、又は、コーヒーを準備するためのステーションにおいて実行されると、本明細書に記載のようなコーヒー豆を調合して供給するためであるか、コーヒー飲料の準備のための方法を実行する。
【００６６】
具体的には、本発明による要素は、マシンにより実行可能な命令を格納するマシン可読手段として与えられることができる。マシン可読な手段は、以下に限定されないが、フロッピーディスク、光ディスク、ＣＤ―ＲＯＭ、光磁気ディスク、ＲＯＭ、ＲＡＭ、ＥＰＲＯＭ、ＥＥＰＲＯＭ、光学又は磁気カード、伝搬手段又は電子情報を格納するのに適した他タイプのマシン可読手段を含むことができる。
例えば本発明は、通信接続（例えばモデム又はネットワーク接続）を介して、搬送波で受信されるデータ信号又は他の伝搬手段によって、リモート（遠隔）コンピュータ（例えばサーバ）から要求元コンピュータ（例えばクライアント）へ、転送可能なコンピュータプログラムとしてダウンロードされることができる。
【００６７】
本明細書に記載されるすべての実施例と組み合わせることができる、いくつかの実施例によると、装置１０は、利用者／操作者インタフェース６２を含むことができる。利用者／操作者インタフェース６２は、ローカル又はリモートであり得る。利用者／操作者インタフェース６２は、制御カード２２と相互作用するように構成されることができる。具体的には利用者／操作者インタフェース６２は、制御カード２２に関連付けられる入力デバイス６４および表示デバイス６６を備えることができる。
【００６８】
考えられる実施では、利用者／操作者インタフェース６２の入力デバイス６４は、英数字キーボード、押しボタン式パネル、押圧キー又はボタン、タッチキー又はボタン、物理又は仮想キー／ボタンであり得る。
【００６９】
考えられる実施では、利用者／操作者インタフェース６２の表示デバイス６６は、デジタルディスプレイ、液晶ディスプレイ、タッチスクリーンディスプレイであり得る。
表示デバイス６６がタッチスクリーンディスプレイの場合は、タッチスクリーンディスプレイに、入力デバイス６４および表示デバイス６６（両方）の機能を組み込むことができる。
【００７０】
本明細書に記載されるすべての実施例と組み合わせることができる、いくつかの実施例によると、装置１０は、通信モジュール６５を含むことができる（例えば図８参照）。通信モジュール６５は、利用者／操作者インタフェース６２との通信のために用いられることができる。通信モジュール６５は、制御カード２２の一部であることができるか、又はその外側にあり得る。
【００７１】
考えられる実施では、通信モジュール６５は、ケーブル通信モジュール又はワイヤレス通信モジュールであることができる。
【００７２】
例えば、ケーブル通信モジュールの場合、シリアル接続（例えばＲＳ２３２）又はＬＡＮ（ローカル・エリア・ネットワーク）を実施する通信モジュールを設けることができる。
【００７３】
例えば、ワイヤレス通信モジュールの場合、例えばＷｉ―Ｆｉプロトコルを使用して、近距離、中距離、又は遠距離無線通信モジュールを設けることができる。他の考えられる実施例では、Ｂｌｕｅｔｏｏｔｈ（登録商標）プロトコル、又はＺｉｇｂｅｅ、又はＮＦＣプロトコル（Ｎｅａｒ  Ｆｉｅｌｄ  Ｃｏｍｍｕｎｉｃａｔｉｏｎ）、又は赤外線通信プロトコル（例えばＩｎｆｒａｒｅｄ  Ｄａｔａ  Ａｓｓｏｃｉａｔｉｏｎ、ＩｒＤＡ）を用いることができる。
【００７４】
本明細書に記載されるすべての実施例と組み合わせることができる、いくつかの実施例は、コーヒー粉砕デバイス６８と、本明細書に記載される装置１０の組合せにも関する（図６、８、９、１０、１１および１２参照）。最終的なコーヒー豆粉末の混合物の所望の粒径を得るために、コーヒー粉砕デバイス６８を調節することができる。
例えば、コーヒー豆粉末を混合して個々の好みに合わせて変更されたレシピは、操作者又は最終消費者が要件に従ってそのたびごとに選択することができる特定の粒径が必要となるか、又はそれによって特徴づけられることができる。
例えば考えられるいくつかの実施では、コーヒー粉砕デバイス６８は、例えばマイクロメトリック制御システムを用いて、グラインダを互いに近づけたり／離して、コーヒーを挽くために設けられるグラインダの動きを制御する調節システムを含むことができる。
このようにして、信頼性が高く正確な方法で、得られるコーヒー豆粉末の混合物の所望の粒径と相関する粉砕ギャップ又はピッチを選択的に定めるために、グラインダは互いに様々な距離で配置することができる。例えば、調整は、手動又は自動、又は半自動で行われることができる。
【００７５】
本明細書に記載されるすべての実施例と組み合わせることができる、いくつかの実施例によると、上記のように、最終的なコーヒー豆粉末の混合物の粒径を有利には調節するために、コーヒー粉砕デバイス６８は遠隔操作および制御されることができる。例えば、遠隔操作および制御は、例えばブルートゥース（登録商標）プロトコル又はＷｉ―Ｆｉを用いて、無線通信システムといった、ケーブル通信システム又はワイヤレス通信システムにより行われる。この目的のために、コーヒー粉砕デバイス６８は、適した通信モジュールを含むことができる。
装置１０は、動作可能にコーヒー粉砕デバイス６８と結合されることができる。そして例えば容器１８は、コーヒー粉砕デバイス６８に調合された量のコーヒー豆を供給するために用いられる。コーヒー粉砕デバイス６８は、対応するコーヒー豆粉末の混合物を得るために豆を挽く。コーヒー豆粉末の混合物はすぐに使用されることもできるし、後で使用するために、例えば真空包装で包装されることもできる。例えば１、２杯のコーヒーで充分であるか、もしくはより多い場合、使用される混合コーヒー豆粉末の全体量によって決められることができる。
【００７６】
本明細書に記載されるすべての実施例と組み合わせることができる装置１０のいくつかの実施例によると、複数のセパレータ・プロポーショナーユニット１１を設けることができる（例えば図７および８参照）。
例えば、２個以上のセパレータ・プロポーショナーユニット１１を設け、例えば２〜１２個、特には３〜１１個、更には４〜１０個、特に５〜９個設ける。例えば、５、６、７、８、９、１０個又はより多くのセパレータ・プロポーショナーユニット１１を設けることができる。
異なるタイプ又は異なる種類のコーヒー豆を受けて、それ故、異なるタイプ、異なる種類、そして異なる原産地のコーヒー豆の分離された流れを供給するように、各セパレータ・プロポーショナーユニット１１は構成されることができる。連続的又は一斉にコーヒー豆を届けるために、さまざまなセパレータ・プロポーショナーユニット１１を用いることができる。
順次に送り出す場合、増分計量ユニット１３は、必要な最終重量に達するまで、制御カード２２によってセパレータ・プロポーショナーユニット１１を修正して、重量の増加する変化を測定することができる。
これとは逆に一度に送り出す場合、得られた重量に従って、増分計量ユニット１３に接続された制御カード２２は、ニーズに応じて、要請される飲物のためのコーヒーの必要かつ予め定められた重量を得るために、セパレータ・プロポーショナーユニット１１のうちの１つに、命令／要求を供給する。
【００７７】
考えられる実施では、全てのセパレータ・プロポーショナーユニット１１は、単一の増分計量ユニット１３に接続することができる（例えば図７参照）。
さまざまなセパレータ・プロポーショナーユニット１１は、異なるタイプ又は異なる種類のコーヒー豆を、別々に調合するように構成される。増分計量ユニット１３は、その都度、異なるセパレータ・プロポーショナーユニット１１と共働するよう配置され、所望の最終量が得られるまで、例えば予め設定されているか、又は制御カード２２でその都度選択される特定のレシピ又は複数のタイプ又は種類のコーヒーを組合せて提供されるコーヒー豆の最終的な量に対する所定の分割（配分）量を、セパレータ・プロポーショナーユニット１１から、順次および増大しながら、受け取る。
具体的には、単一の増分計量ユニット１３で異なるセパレータ・プロポーショナーユニット１１から逐次受け取り増加する分割量の合計が、異なるタイプ又は種類のコーヒー豆の最終的な量になる。コーヒー粉砕デバイス６８によって、最終的な量が処理されて、利用者により要求され、そして特定のレシピ又は複数タイプ又は種類のコーヒーの予め設定されたか選択された組合せに対応した感覚刺激特性を備えたコーヒー豆粉末の最終的な混合物を得る。
上述のように、コーヒー粉砕デバイス６８は、粒径を調節するように構成されることができる。さらにまた、ニーズに応じて、コーヒー粉砕デバイス６８は、遠隔操作および制御されることができる。
【００７８】
実施例を記載するために図８を用いられる。そして、装置１０は、単一の増分計量ユニット１３に対応した複数のセパレータ・プロポーショナーユニット１１と、それぞれのセパレータ・プロポーショナーユニット１１間で、それぞれから、異なるタイプ又は種類のコーヒー豆の分割量を、順次受け取るために、増分計量ユニット１３を移動するよう構成された移動デバイス７４を備える。移動デバイス７４は、増分計量ユニット１３を、直線移動又は回転移動させるよう構成されることができる。
最終量の、異なるタイプ又は種類の、グラインドするコーヒー豆を供給するために、移動デバイス７４は、コーヒー粉砕デバイス６８の方へ増分計量ユニット１３を移動させるよう構成されることもできる。例えば移動デバイス７４は、伝動部材７４ｂ（例えばチェーン又はベルト）が巻かれる２つのプーリー７４ａを含むことができる（例えば図１２参照）。
さらに、移動デバイス７４は、増分計量ユニット１３を移動させ、例えば逆さま、回転、反転、又は傾斜させるように構成され、異なるタイプ又は種類のコーヒー豆の量が、容器１８からコーヒー粉砕デバイス６８へとひっくり返され、導入され、又は移されるようにする。このために例えば、反転部材７５を設けることができる（例えば図１２参照）。そして考えられる実施では、大きいプーリー７５ｂ（容器１８が接続される）と小さいプーリー７５ｃとの周りに巻かれる伝動部材（例えばベルト又はチェーン７５ａ）により形成されることができる。
これらの実施例においても、コーヒー粉砕デバイス６８は、粒径を調節させるよう構成されることができて、そして、ニーズに応じて、遠隔操作および制御されることができる。
【００７９】
考えられる実施では、移動デバイス７４は、駆動部材７６を含むことができる。本明細書に記載される実施例と連動して用いられる駆動部材７６は、電気モータ、電気ステップモータ、磁気モーター、モーターを備えたリニア車軸、リニアモータ（例えば機械式リニアモータ、圧電リニアモータ、電磁リニアモータ、電気機械モーター）、電磁石から成るグループから選択される駆動部材であり得る。
例えばモーターは、電気コイルによって形成される第１部分と他の電気コイルによって形成される第２部分との間の相互作用の電磁気および磁場を使用するか、若しくは、永久磁石又は通電された磁石又は導体によって設けられることができる。
特定の考えられる実施例において、駆動部材は、リニアモータ（例えば誘導リニアモータ、同期リニアモータ、ブラシレスの同期リニアモータ、単極リニアモータ、ボイスコイルリニアモータ、管状リニアモータ、若しくは上述のように、圧電リニアモータ又は電磁石）として構成されることができる。
【００８０】
考えられる実施では、移動デバイス７４は運動アクチュエータ７７を備えることができる。駆動部材７６は、運動アクチュエータ７７に接続されることができる。
考えられる実施では、運動アクチュエータ７７は、本来的に直線運動であるか、又は回転運動を直線運動に変換するように構成することができる。
他の考えられる実施において、運動アクチュエータ７７は、本来的に回転運動であるか、又は直線運動を回転運動に変換するように構成することができる。
いずれの場合においても、変換は、以下からなる群から選択されるタイプの機構を使用して、通常行われることができる。
ネジ・アクチュエータ（例えばねじジャッキ、ボールスクリュー・アクチュエータおよびロールスクリュー・アクチュエータ）、又は輪軸（例えばドラム、ギア、プーリー又は軸）、アクチュエータ（例えば吊りケーブル、ウインチ、ラックおよびピニオン・ユニット）、チェーン伝動、ベルト伝動、剛性チェーン・アクチュエータおよび剛性ベルト・アクチュエータ。
【００８１】
本明細書に記載されるすべての実施例と組み合わせることができる、いくつかの実施例は、供給されるコーヒー豆の実際の量を個々に制御するために、複数のセパレータ・プロポーショナーユニット１１を提供することができ、各々はそれぞれの増分計量ユニット１３に関連付けられる。この場合、各増分計量ユニット１３は、各１つのセパレータ・プロポーショナーユニット１１だけと連動するように置かれる。そして、それからコーヒー豆の最終的な量の定められた分割分（配分）を受け取る。その後、異なるタイプ又は種類のコーヒーの豆の様々な分割分は、コーヒー粉砕デバイス６８に、一つずつか、又は予め集められ供給されることができる。そして、上記のように最終的な混合物を得る。この目的ため、上記のような移動デバイス７４が用いられることができる。
【００８２】
図９、１０および１１は、本明細書に記載されるすべての実施例と組み合わせることができる、コーヒー準備ステーション８０の実施例を記載するために用いる。そして、コーヒー準備ステーション８０は得られたコーヒー豆粉末の混合物からコーヒー飲料（特にエスプレッソコーヒー）を製造することが可能な本明細書による装置１０、コーヒー粉砕デバイス６８およびコーヒーマシン７８を含む。
【００８３】
考えられる実施では、コーヒー準備ステーション８０は、装置１０およびコーヒー粉砕デバイス６８を含む混合コーヒー豆粉末準備セクション８２と、コーヒーマシン７８を含むコーヒー飲料準備セクション８４とを含む。
図９、１０および１１は、混合コーヒー豆粉末準備セクション８２と、コーヒー飲料準備セクション８４との異なる相互の配置を有するコーヒー準備ステーション８０のさまざまな考えられるレイアウトを記載するために用いられる。
いくつかの実施例によれば、図９および１０を用いて記載される、混合コーヒー豆粉末準備セクション８２は、コーヒー飲料準備セクション８４に対して、横（例えば直角）に配置され得る。混合コーヒー豆粉末準備セクション８２の配置は、コーヒー飲料準備セクション８４の横か（図９参照）、又は中間の位置（図１０参照）であり得る。
【００８４】
他の実施例によれば、図１１を用いて記載される、混合コーヒー豆粉末準備セクション８２は、配置されたコーヒー飲料準備セクション８４に対して平行である（例えば、実質的に対向位置に面する）ことができる。
【００８５】
図１２は、多数の又は列になったセパレータ・プロポーショナーユニット１１を提供する本明細書による装置１０を含む混合コーヒー豆粉末準備セクション８２の実施例を記載するために用いられる。混合コーヒー豆粉末準備セクション８２は、装置１０を支えるフレーム８６を含む。
複数の移送部材９６が設けられ、移送部材９６各々がそれぞれのセパレータ・プロポーショナーユニット１１の供給デバイス１２に連結される。そして、各々コーヒー豆を供給するシステムとして機能する。
また移動デバイス７４が設けられ、移動デバイス７４は供給デバイス１２に対して、センサユニット２０に接続された容器１８を移動させる。
コーヒー粉砕デバイス６８は、列になったセパレータ・プロポーショナーユニット１１と連動するように置かれ、予め混合されたコーヒー豆粉末を容器１８から受け取ることができる。そしてこのために、移動デバイス７４の反転部材７５が設けられており、容器１８がコーヒー粉砕デバイス６８に位置合わせされたときに、容器１８に作用するように構成されている。
フレーム８６は、コーヒー粉砕デバイス６８を支持する支持面８８を備える。
コーヒー豆粉末を突き固める（タンピング）ために、圧縮装置又はタンパー９０を設けることもできる。そして、例えばコーヒー粉砕デバイス６８に隣接して、支持面８８に配置されることができる。
さらにまた、コーヒー豆又はコーヒー豆粉末を直ちに使用せず、後に使用するために供給される場合、調合されたコーヒー豆又はコーヒー粉砕デバイス６８によって製造されたコーヒー豆粉末を、パケットや小さい袋又はバッグに真空包装するために、真空包装デバイス９２を設けることができる。真空包装デバイス９２は、支持面８８に配置されることもでき、例えば圧縮装置９０と隣接することもできる。
さらにまた、利用者／操作者インタフェース６２は、支持面８８に設けられることができる（例えばタッチスクリーン）。
さらに、計量されたコーヒー豆の混合物がコーヒー粉砕デバイス６８に導入されず、挽かれない（そのまま供給される）場合は、放出システム９４を設けることができ、容器１８からコーヒー豆を受け取ることができ、例えば、それらが真空包装されることができる適切なパッケージに移すか又は、注入することができる。
【００８６】
また、図９乃至１２を用いて記載される実施例で、コーヒー粉砕デバイス６８は、粒径を調節できるように構成されることができ、そして、遠隔操作および制御されることができる。
【００８７】
本明細書に記載されるすべての実施例と組み合わせることができる、他の実施例によれば、装置１０およびコーヒー準備ステーション８０は、ラベル印刷デバイスを備えることができる。
【００８８】
ここまで述べた装置１０に対して、本発明の分野及び範囲から逸脱することなく各部の修正及び／又は追加を行うことができることは明らかである。
【００８９】
いくつかの具体例を参照して本発明を説明したが、当業者が装置１０の他の多くの同等の形状を達成することが確実に可能であることは明白でもある。そして、請求項にて説明するような特徴を有し、それ故、すべてがこれにより定められる保護範囲の中である。
【００９０】
上記が本発明の実施例に関連するが、他の実施例は主たる保護範囲を逸脱しない範囲で設けられることができる、以降の請求項により定義される。
【００９１】
以下の請求項において、括弧内の参照記号の目的は、可読性を高めるためだけにあり、特定のクレームに記載の保護範囲に関する制限因子と見なされない。
【図１】
0006723248.tif 000002
【図２】
0006723248.tif 000003
【図３】
0006723248.tif 000004
【図４】
0006723248.tif 000005
【図５】
0006723248.tif 000006
【図６】
0006723248.tif 000007
【図７】
0006723248.tif 000008
【図８】
0006723248.tif 000009
【図９】
0006723248.tif 000010
【図１０】
0006723248.tif 000011
【図１１】
0006723248.tif 000012
【図１２】
0006723248.tif 000013